(57)【要約】【課題】２極２相内転型電動機において、巻線スペースを減少させずにピン端子とハウジングとの絶縁距離の確保と、固定子の組立作業性の改善を目的とする。【解決手段】２極２相内転型電動機は固定子１６とハウジング１３と回転子１５から構成され、固定子１６の端子台１２は樹脂等で略円盤状に一体に成型して成り、少なくとも温度過昇防止装置等の電気部品を装着し、端子台１２の外周の巻線側または反巻線側方向に円筒状またはピン端子付近の一部分に延設部１２ａを設けたものであり、この端子台１２の延設部１２ａにより、固定子巻線の口出し線を絡げたピン端子９と鋼板製のハウジング１３との絶縁距離を確保できる。【選択図】図１
2005253225.tif 000002
【特許請求の範囲】
【請求項１】
歯部と継鉄部がそれぞれ一体で積層された４個の分割鉄心体ａと、この分割鉄心体ａに挟持される継鉄部が積層された４個の分割鉄心体ｂとからなる固定子鉄心と、隣接する前記分割鉄心体ａによって形成される４つのスロットをそれぞれ絶縁する４枚のスロット絶縁フィルムと、このスロット絶縁フィルムを挟持する袴部を有し、前記分割鉄心体ａの積層方向の端面を絶縁する巻回部と内外壁が樹脂等で一体に成型されてなる絶縁体と、この絶縁体に巻回した固定子巻線と、この固定子巻線の口出し線を絡げる前記絶縁体の外壁に設けたピン端子を介して接続された端子台とからなり、この端子台は樹脂等で略円盤状に一体に成型して成り、少なくとも温度過昇防止装置等の電気部品を装着し、この端子台の外周の巻線側または反巻線側方向に円筒状の延設部を設けた内転型電動機の固定子。
【請求項２】
端子台の外周に設ける延設部をピン端子付近の一部分とした請求項１記載の内転型電動機の固定子。
【請求項３】
スロット絶縁フィルムの展開幅方向の中心部に折り目を設け、絶縁体の内壁側両端部に、前記スロット絶縁フィルムの折り目を収納できる収納部を設けた形状の請求項１記載の内転型電動機の固定子。
【請求項４】
絶縁体の巻回部に外壁側から内壁向け傾斜形状の突部を設けた請求項１記載の内転型電動機の固定子。
【請求項５】
絶縁体の巻回部に設けた傾斜形状の突部の外壁側上部を平面とした形状の請求項１記載または請求項４記載の内転型電動機の固定子。
【発明の詳細な説明】
【技術分野】
【０００１】
本発明は固定子鉄心を複数に分割した分割鉄心体に絶縁を施し、巻線を直巻巻装した後、前記分割鉄心体を環状に一体化する構成とした内転型電動機の固定子に関する。
【背景技術】
【０００２】
従来、この種の内転型電動機の固定子においては、複数に分割した分割鉄心体に各相別に巻線を巻装したのち、各相の分割鉄心体を環状に配列してなる固定子が知られている（例えば特許文献１参照）。
【０００３】
以下、その内転型電動機の固定子について、図１１，図１２を参照しながら説明する。
図１１および図１２に示すように、分割された歯部１０１に絶縁材料１０２，１０３で絶縁処理をしたのち、巻線１０４の口出し線を絡げるピン端子１０５を設けて巻線１０４を巻装したのち、環状に合体した構成の固定子としていた。
【０００４】
また、この種の内転型電動機の固定子においては、複数に分割した分割鉄芯体ａに対して、周方向に長いスロット絶縁フィルムを装着して各相別に巻線を巻装し、環状に一体化してなるものも示されている（例えば特許文献２参照）。
【０００５】
以下、その内転型電動機の固定子について、図１３，図１４を参照しながら説明する。
【０００６】
図１３および図１４に示すように、固定子鉄芯２００を４個の分割鉄芯体ａ２０１が４個と分割鉄芯体ｂ２０４が４個の計８個に分割し、分割鉄芯体ａ２０１は回転子孔２０５の外周にその歯部２０１−１が略放射状になるように配置され、Ａ相巻線２０６が巻装されたＡ相巻線巻装体２０７が２個とこれと電気角で９０度隔てた位置にＢ相巻線２０８が巻装されたＢ相巻線巻装体２０９の２個は継鉄部２０１−２で分割された分割鉄芯体ｂ２０４を挟持して交互に環状に配列し固定子２１０を構成する。そして、分割鉄芯体ａ２０１にスロット絶縁フィルム２０２を歯部２０１−１の上面、下面および両側面と歯部２０１−１の内周側の周方向突起の内周面、そして継鉄部２０１−２の内周面分割鉄芯体ｂ２０４の内周面の約半分まで直線状に延びてカバーするように装着し、極数個のＡ相巻線２０６と極数個のＢ相巻線２０８は各々別の工程で連続的に直巻巻装し、巻線巻装終了後、前記スロット絶縁フィルム２０２を分割鉄芯体ｂ２０４の内周面の円弧に沿う形状に変形させた後、前記Ａ相巻線巻装体２０７とＢ相巻線巻装体２０９を交互に環状に配列後、分割鉄芯体ｂ２０４を組合せ一体化する構成の固定子としていた。
【特許文献１】特開平９−４６９７９号公報
【特許文献２】特開２００１−２３８３７８号公報
【発明の開示】
【発明が解決しようとする課題】
【０００７】
このような従来の内転型電動機の固定子では、その小型化および高効率化を追求する場合、Ａ相巻線およびＢ相巻線の巻線スペースを確保するため、絶縁体の外壁をできるだけ外周側にかつ内壁をできるだけ内周側に寄せることになり、この外壁に設けるＡ相巻線とＢ相巻線の口出し線を絡げるピン端子が、後から装着する鋼鈑製のハウジングと近接してしまい、絶縁距離を確保することが困難になるという課題があり、端子ピンが外周側に位置していても品質を確保することが要求されている。
【０００８】
本発明は、このような従来の課題を解決するものであり、絶縁体の外壁に設けたピン端子を介し接続される端子台により、ピン端子とハウジングとの絶縁距離を確保することができる内転型電動機の固定子を提供することを目的としている。
【０００９】
また、このような従来の内転型電動機の固定子では、同様に巻線のスペースを確保するために隣接する歯部で形成される一つのスロットに１枚のフィルムで絶縁を施すが、そのフィルムの柔軟性によってはスロットへ沿わせることが困難になるという課題があり、フィルムを容易にかつ確実にスロットの形状に沿わせて装着することが要求されている。
【００１０】
本発明は、このような従来の課題を解決するものであり、中心部に折り目を設けたスロット絶縁フィルムとそれを挟持する絶縁体により、スロット形状に沿わせた装着が容易にできる内転型電動機の固定子を提供することを目的としている。
【００１１】
また、このような従来の内転型電動機の固定子は、それぞれの巻線を巻装する際に巻き崩れを抑制するためコイルエンドの高さが一定になるよう巻装しており、そのため外壁側の両端部に巻線が僅かに溢れ、分割鉄心体ａと継鉄部の分割鉄心体ｂを組み合わせて環状に合体する場合、継鉄部の分割鉄心体ｂの挿入が難しいという課題があり、巻線の外周側への溢れを抑止することが要求されている。
【００１２】
本発明は、このような従来の課題を解決するものであり、コイルエンドの高さが一定になるよう巻装しても外壁近傍の巻量を軽減することで外壁側両端部の溢れが抑止でき、分割鉄心体ａと継鉄部の分割鉄心体ｂの環状への組み合わせが容易にできる内転型電動機の固定子を提供することを目的としている。
【課題を解決するための手段】
【００１３】
本発明の内転型電動機の固定子は上記目的を達成するために、固定子巻線の口出し線を絡げる絶縁体の外壁に設けたピン端子を介して接続される端子台の外周の巻線側または反巻線側方向に円筒状の延設部を設けたものである。
【００１４】
この手段により絶縁体の外壁に設けたピン端子を介し接続される端子台の延設部により、ピン端子とハウジングとの絶縁距離を確保することができる内転型電動機の固定子が得られる。
【００１５】
また、第２の目的を達成するために、スロット絶縁フィルムの展開方向の中心部に折り目を設けるとともに、この折り目の収納部を絶縁体の内壁側両端部に設けたものである。
【００１６】
この手段によりスロット形状に沿わせた装着が容易にできる内転型電動機の固定子が得られる。
【００１７】
また、第３の目的を達成するために、分割鉄心体ａの積層方向の端面を絶縁する巻回部と内外壁が樹脂等で一体に成型されてなる絶縁体の巻回部に外壁側から内壁に向け傾斜形状の突部を設けたものである。
【００１８】
この手段により外壁近傍の巻量を軽減することで外壁側両端部の溢れが抑止でき、分割鉄心体ａと継鉄部の分割鉄心体ｂの環状への組み合わせが容易にできる内転型電動機の固定子が得られる。
【発明の効果】
【００１９】
本発明によれば端子台により、ピン端子とハウジングとの絶縁距離を確保できるという効果のある内転型電動機を提供できる。
【００２０】
また、本発明によればスロット形状に沿わせたスロット絶縁フィルム装着が容易にできるという効果のある内転型電動機を提供できる。
【００２１】
また、本発明によれば外壁近傍の巻量を軽減することで外壁側両端部の溢れが抑止でき、分割鉄心体ａと継鉄部の分割鉄心体ｂの環状への組み合わせが容易にできるという効果のある内転型電動機の固定子を提供できる。
【発明を実施するための最良の形態】
【００２２】
本発明の請求項１記載の発明は、歯部と継鉄部がそれぞれ一体で積層された４個の分割鉄心体ａと、この分割鉄心体ａに挟持される継鉄部が積層された４個の分割鉄心体ｂとからなる固定子鉄心と、隣接する前記分割鉄心体ａによって形成される４つのスロットをそれぞれ絶縁する４枚のスロット絶縁フィルムと、このスロット絶縁フィルムを挟持する袴部を有し、前記分割鉄心体ａの積層方向の端面を絶縁する巻回部と内外壁が樹脂等で一体に成型されてなる絶縁体と、前記絶縁体に巻回した固定子巻線と、この固定子巻線の巻線端末線を絡げる前記絶縁体の外壁に設けたピン端子を介して接続された端子台からなり、この端子台は樹脂等で略円盤状に一体に成型して成り、少なくとも温度過昇防止装置等の電気部品を装着し、この端子台の外周の巻線側または反巻線側方向に円筒状の延設部を設けた内転型電動機の固定子としたものであり、この端子台の円筒状の延設部により、ピン端子とハウジングとの絶縁距離を確保できるという作用を有する。
【００２３】
また、端子台の外周に設ける延設部をピン端子付近の一部分としたものであり、延設部に用いる樹脂の材料量を削減できるという作用を有する。
【００２４】
また、スロット絶縁フィルムの展開幅方向の中心部に折り目を設け、絶縁体の内壁側端部に、スロット絶縁フィルムの折り目を収納できる収納部を設けた形状とし、スロット絶縁フィルムの柔軟性による遊びを持たせることで、スロット形状に沿わせたスロット絶縁フィルムの装着が容易になり、作業性を向上させるという作用を有する。
【００２５】
また、絶縁体の巻回部に外壁側から内壁側に向け傾斜形状の突部を設けたものであり、外壁近傍の巻量を軽減することで外壁側両端部の溢れが抑止でき、分割鉄心体ａと継鉄部の分割鉄心体ｂの環状への組み合わせが容易にできるという作用を有する。
【００２６】
また、絶縁体の巻回部に設けた傾斜形状の突部の外壁側上部を平面とした形状としたものであり、外壁部のピン端子からの固定子巻線の巻き始めを前記平面部に巻装することで、巻回初期段階の巻き崩れを確実に防止するという作用を有する。
【００２７】
以下、本発明の実施例について図面を参照しながら説明する。
【００２８】
（実施例１）
図１〜図１０に示すように、４個のスロット６を形成する固定子鉄心１を歯部２と継鉄部３−１の一部が一体の４個の分割鉄心体ａ４と継鉄部３−２の４個の分割鉄心体ｂ５との８個に分離分割し、樹脂で成型され分割鉄心体ａ２の端面を絶縁する絶縁体７と、スロット６と分割鉄心体ｂ５の内周側面とを絶縁するスロット絶縁フィルム８により絶縁処理後、絶縁体７の外壁７ｃ側に設けたピン端子９に固定子巻線の巻き始めを絡げ、分割鉄心体ａ４に対して各々２極のＡ相巻線１０またはＢ相巻線１１を直巻巻装し、固定子巻線の巻き終りを別のピン端子９に絡げ、分割鉄心体ｂ５を組み合わせて環状に一体化し、ピン端子９をを介して端子台１２を電気的接続され内転型電動機の固定子１６を構成される。そして、ハウジング１３と軸受１４により回転自在に保持された回転子１５を内在させ、組み合わせて内転型電動機１７を構成している。
【００２９】
上記構成において、端子台１２は樹脂等で略円盤状に一体に成型して成り、少なくとも温度過昇防止装置（図示せず）等の電気部品を装着し、この端子台１２の外周の巻線側または反巻線側方向に円筒状の延設部１２ａを設けた内転型電動機の固定子１６としたものであり、この端子台１２の円筒状の延設部１２ａにより、ピン端子９とハウジング１３との絶縁距離を確保できる内転型電動機１７が実現できる。
【００３０】
なお、延設部１２ａは端子台１２の円盤状に沿った円筒状で形成しているが、部分的に直線部を有していてもその作用効果に差異を生じない。
【００３１】
また、端子台１２の外周に設ける延設部１２ｂをピン端子９付近の一部分としたものであり、延設部１２ａに用いる樹脂の材料量を削減できる。
【００３２】
なお、端子台１２の外周に設ける延設部１２ｂをピン端子９付近の一部分としたが、ハウジングとの絶縁距離を確保できない固定子巻線付近の一部分としても、その作用効果に差異を生じない。
【００３３】
上記構成において、スロット絶縁フィルム８の展開幅方向の中心部に折り目８ａを設け、絶縁体７の内壁７ｄ側端部に、スロット絶縁フィルム８の折り目８ａを収納できる収納部７ａを設けた形状とし、スロット絶縁フィルム８をその収納部７ａでフィルム特有の柔軟性による遊びを持たせることで、スロット形状に沿わせたスロット絶縁フィルムの装着が容易になり、作業性を向上させることができる。
【００３４】
なお，スロット絶縁フィルム８の折り目８ａを外周側に山折りとしたが、内周側に山折りとしても、その作用効果に差異を生じない。
【００３５】
上記の構成において、絶縁体７の巻回部７ｅに外壁７ｃ側から内壁７ｄ側に向け、巻回部７ｅの幅寸法より小なる幅の傾斜形状の突部７ｂを設けたものであり、固定子巻線の巻き始めにおいて突部７ｂと巻回部７ｅの両方の角部で巻き形状が多角形状を呈し、巻き崩れを防止でき、このままコイルエンドの高さが一定になるよう巻装すると突部７ｂの高さにより外壁近傍の巻量を軽減することになり外壁７ｃ側の両端部への溢れが抑止でき分割鉄心体ａ４と継鉄部の分割鉄心体ｂ５の環状への組み合わせを容易にすることができる。
【００３６】
また、絶縁体７の巻回部７ｅに設けた傾斜形状の突部７ｂの外壁７ｃ側上部を平面部７ｆとした形状としたものであり、外壁７ｃ側のピン端子９からの固定子巻線の巻き始めを前記平面部に巻装することで、巻き始め巻線の巻き崩れを確実に防止し、ピン端子９に絡げた巻き始め巻線のダメージもしくは断線を防止することができる。
【００３７】
なお、絶縁体７の傾斜形状の突部７ｂの外壁７ｃ側上部を平面とした形状にしたが、突部７ｂの外壁７ｃ側上部を前記傾斜形状と逆傾斜形状の傾斜部７ｇとしても、その作用効果に差異を生じない。
【産業上の利用可能性】
【００３８】
本発明にかかる内転型電動機は、絶縁体の外壁に設けたピン端子と鋼板製のハウジングとの絶縁距離を確保することができるため、内転型電動機を小型化にすることができ、換気装置など２４時間連続運転する小風量機器の搭載や、ファンモータへの搭載が有用である。
【００３９】
また、分割鉄心体ａと継鉄部の分割鉄心体ｂの環状への組み合わせを容易にし、作業性を向上することにより、巻線の占有率を増加でき、高効率化、高出力化した内転型電動機が得られ、換気装置やファンモータへの搭載が有用である。
【図面の簡単な説明】
【００４０】
【図１】本発明の実施例１の内転型電動機の断面図
【図２】同分割固定子鉄心を示す正面図
【図３】同固定子の正面図
【図４】同端子台の延設部を円筒状とした状態を示す正面図
【図５】同端子台の延設部をピン端子付近とした状態を示す正面図
【図６】同スロット絶縁フィルムの斜視図
【図７】同絶縁体の袴部を示す斜視図
【図８】同絶縁体の突部を示す斜視図
【図９】同絶縁体の突部上部を平面とした状態を示す正面図
【図１０】同絶縁体の突部上部を逆傾斜形状とした状態を示す正面図
【図１１】従来の固定子の歯部に巻線を巻装した状態を示す斜視図
【図１２】同固定子の断面図
【図１３】従来の他の固定子の正面図
【図１４】同分割鉄心体ａに巻線を巻装した状態を示す断面図
【符号の説明】
【００４１】
１      固定子鉄心
２      歯部
３−１、３−２  継鉄部
４      分割鉄心体ａ
５      分割鉄心体ｂ
６      スロット
７      絶縁体
７ａ    収納部
７ｂ    突部
７ｃ    外壁
７ｄ    内壁
７ｅ    巻回部
７ｆ    平面部
７ｇ    傾斜部
８      スロット絶縁フィルム
８ａ    折り目
９      ピン端子
１０    Ａ相巻線
１１    Ｂ相巻線
１２    端子台
１２ａ、１２ｂ  延設部
１３    ハウジング
１４    軸受
１５    回転子
１６    固定子
１７    内転型電動機
【図１】
2005253225.tif 000003
【図２】
2005253225.tif 000004
【図３】
2005253225.tif 000005
【図４】
2005253225.tif 000006
【図５】
2005253225.tif 000007
【図６】
2005253225.tif 000008
【図７】
2005253225.tif 000009
【図８】
2005253225.tif 000010
【図９】
2005253225.tif 000011
【図１０】
2005253225.tif 000012
【図１１】
2005253225.tif 000013
【図１２】
2005253225.tif 000014
【図１３】
2005253225.tif 000015
【図１４】
2005253225.tif 000016